(57)【要約】【課題】  録音開始指示よりも前の音声を含めた録音を可能にする。【解決手段】  音声放送の音声信号を入力可能に構成され、当該音声信号を音声圧縮処理して圧縮音声を記録媒体１０５に格納する録音装置１３において、一定時間分の前記音声信号を巡回的に記録するリングバッファ１０３を備え、前記音声信号の録音開始指示を受けた場合、前記録音開始指示を受けた時点で既に前記リングバッファ１０３に記録されている分の前記音声信号と、前記録音開始指示を受けた時から録音終了指示を受けた時までに入力された前記音声信号とを音声圧縮処理し、圧縮音声を前記記録媒体１０５に格納する構成とした。【選択図】      図２
2006139835.tif 000002
【特許請求の範囲】
【請求項１】
音声放送の音声信号を入力可能に構成され、当該音声信号を音声圧縮処理して圧縮音声を記録媒体に格納する録音装置において、
一定時間分の前記音声信号を巡回的に記録するリングバッファを備え、
前記音声信号の録音開始指示を受けた場合、前記録音開始指示を受けた時点で既に前記リングバッファに記録されている分の前記音声信号と、前記録音開始指示を受けた時から録音終了指示を受けた時までに入力された前記音声信号とを音声圧縮処理し、圧縮音声を前記記録媒体に格納する
ことを特徴とする録音装置。
【請求項２】
前記音声信号の録音開始指示を受けた時以降に入力された前記音声信号を前記リングバッファに記録すると共に、
前記音声信号の録音開始指示を受けた場合、前記録音開始指示を受けた時点で既に前記リングバッファに記録されている分の前記音声信号を音声圧縮処理した後、
前記録音開始指示を受けた時以降に新たに前記リングバッファに記録された前記音声信号を音声圧縮処理し、前記記録媒体に格納する
ことを特徴とする請求項１に記載の録音装置。
【請求項３】
前記音声信号の入力速度よりも高速度で前記音声信号の音声圧縮処理を行うと共に、
前記リングバッファに記録される音声信号と、前記リングバッファから音声圧縮処理のために読み出す音声信号とが等しくなった場合に、前記リングバッファへの音声信号の記録を中止すると共に、入力される音声信号をリアルタイムに音声圧縮処理する
ことを特徴とする請求項２に記載の録音装置。
【請求項４】
前記音声信号の録音開始指示を受けた場合、前記録音開始指示を受けた時点で既に前記リングバッファに記録されている分の前記音声信号の音声圧縮処理と、前記録音開始指示を受けた時以降に入力される前記音声信号のリアルタイムな音声圧縮処理とを並列処理し、
それぞれの音声圧縮処理により得られた圧縮音声を、一連の音声となるように連結して前記記録媒体に格納する
ことを特徴とする請求項１に記載の録音装置。
【請求項５】
音声放送の音声信号を入力可能に構成され、当該音声信号を音声圧縮処理して圧縮音声を記録媒体に格納する録音装置において、
一定時間分の前記音声信号が音声圧縮処理された圧縮音声を巡回的に記録するリングバッファを備え、
前記音声信号の録音開始指示を受けた場合、前記録音開始指示を受けた時点で既に前記リングバッファに記録されている前記圧縮音声を前記記録媒体に格納すると共に、
前記録音開始指示を受けた時から録音終了指示を受けた時までに入力された前記音声信号を音声圧縮処理して、圧縮音声を前記記録媒体に格納する
ことを特徴とする録音装置。
【請求項６】
音楽データが記録された光ディスクから読み出された音声信号を音声圧縮処理してなる圧縮音声を前記記録媒体に格納することを特徴とする請求項１乃至５のいずれかに記載の録音装置。
【請求項７】
前記記録媒体はフラッシュメモリ、或いは、ハードディスクであることを特徴とする請求項１乃至６のいずれかに記載の録音装置。
【請求項８】
車両に搭載される車載機器であることを特徴とする請求項１乃至７のいずれかに記載の録音装置。
【請求項９】
音声放送の音声信号を音声圧縮処理して圧縮音声を記録媒体に格納する録音方法において、
一定時間分の前記音声信号を巡回的に記録し、
前記音声信号の録音開始指示を受けた場合に、前記録音開始指示を受けた時点で既に記録していた分の前記音声信号と、前記録音開始指示を受けた時から録音終了指示を受けた時までの前記音声放送の音声信号とを音声圧縮処理して、圧縮音声を前記記録媒体に格納するようにした
ことを特徴とする録音方法。
【請求項１０】
音声放送を受信して音声信号を出力する放送受信装置と、
前記音声信号が音声圧縮処理されてなる圧縮音声を記録媒体に格納すると共に、当該記録媒体に格納された圧縮音声を復号処理して音声信号を出力する録音装置と、
前記放送受信装置及び前記録音装置から出力された音声信号に基づいて放音する音声出力装置とを備え、車両に搭載される車載オーディオシステムにおいて、
前記録音装置は、
前記放送受信装置から入力された一定時間分の前記音声信号を巡回的に記録するリングバッファを備え、
前記音声信号の録音開始指示を受けた場合、前記録音開始指示を受けた時点で既に前記リングバッファに記録されている分の前記音声信号と、前記録音開始指示を受けた時から録音終了指示を受けた時までに、前記放送受信装置から入力された前記音声信号とを音声圧縮処理し、圧縮音声を前記記録媒体に格納する
ことを特徴とする車載オーディオシステム。
【発明の詳細な説明】
【技術分野】
【０００１】
本発明は、例えばラジオ放送などの音声信号を録音する録音装置、録音方法及び車載オーディオシステムに関する。
【背景技術】
【０００２】
近年、車両に搭載される車載オーディオシステムとして、音楽ＣＤ（Compact Disc）に記録されている音楽の音声データを音声圧縮処理して、内蔵のハードディスクやフラッシュメモリなどの記録媒体に格納しておく録音装置を備え、音楽ＣＤが車載オーディオシステムにセットされていなくとも音楽を聴けるようにしたものが知られている（例えば、特許文献１参照）。
【０００３】
また、この種の車載オーディオシステムには、例えばラジオなどの音声放送の音声をユーザの指示に基づいて録音可能に構成されたものがあり、ユーザがラジオ放送を聴いているときに、所望の音楽などが放送された場合に、録音開始ボタンを操作するなどして、車載オーディオシステムに音楽を録音させておくことで、いつでも、何度でも録音した音楽などが聴けるようになっている。
【特許文献１】特開平５−１２８６３８号公報
【発明の開示】
【発明が解決しようとする課題】
【０００４】
しかしながら、上記ラジオ音声の録音においては、ユーザが所望のラジオ音声を認識し録音開始を指示したときから、ラジオ音声の録音を開始するため、例えばラジオ音声として音楽を録音する場合、音楽の途中からの録音となってしまい、音楽の先頭が録音されない、といった問題がある。
本発明は、上述した事情に鑑みてなされたものであり、録音開始指示よりも前の音声を含めて録音することのできる録音装置、録音方法及び車載オーディオシステムを提供することを目的とする。
【課題を解決するための手段】
【０００５】
上記目的を達成するために、本発明は、音声放送の音声信号を入力可能に構成され、当該音声信号を音声圧縮処理して圧縮音声を記録媒体に格納する録音装置において、一定時間分の前記音声信号を巡回的に記録するリングバッファを備え、前記音声信号の録音開始指示を受けた場合、前記録音開始指示を受けた時点で既に前記リングバッファに記録されている分の前記音声信号と、前記録音開始指示を受けた時から録音終了指示を受けた時までに入力された前記音声信号とを音声圧縮処理し、圧縮音声を前記記録媒体に格納することを特徴とする。
【０００６】
また本発明は、上記発明において、前記音声信号の録音開始指示を受けた時以降に入力された前記音声信号を前記リングバッファに記録すると共に、前記音声信号の録音開始指示を受けた場合、前記録音開始指示を受けた時点で既に前記リングバッファに記録されている分の前記音声信号を音声圧縮処理した後、前記録音開始指示を受けた時以降に新たに前記リングバッファに記録された前記音声信号を音声圧縮処理し、前記記録媒体に格納することを特徴とする。
【０００７】
また本発明は、上記発明において、前記音声信号の入力速度よりも高速度で前記音声信号の音声圧縮処理を行うと共に、前記リングバッファに記録される音声信号と、前記リングバッファから音声圧縮処理のために読み出す音声信号とが等しくなった場合に、前記リングバッファへの音声信号の記録を中止すると共に、入力される音声信号をリアルタイムに音声圧縮処理することを特徴とする。
【０００８】
また本発明は、上記発明において、前記音声信号の録音開始指示を受けた場合、前記録音開始指示を受けた時点で既に前記リングバッファに記録されている分の前記音声信号の音声圧縮処理と、前記録音開始指示を受けた時以降に入力される前記音声信号のリアルタイムな音声圧縮処理とを並列処理し、それぞれの音声圧縮処理により得られた圧縮音声を、一連の音声となるように連結して前記記録媒体に格納することを特徴とする。
【０００９】
また上記目的を達成するために、本発明は、音声放送の音声信号を入力可能に構成され、当該音声信号を音声圧縮処理して圧縮音声を記録媒体に格納する録音装置において、一定時間分の前記音声信号が音声圧縮処理された圧縮音声を巡回的に記録するリングバッファを備え、前記音声信号の録音開始指示を受けた場合、前記録音開始指示を受けた時点で既に前記リングバッファに記録されている前記圧縮音声を前記記録媒体に格納すると共に、前記録音開始指示を受けた時から録音終了指示を受けた時までに入力された前記音声信号を音声圧縮処理して、圧縮音声を前記記録媒体に格納することを特徴とする。
【００１０】
また本発明は、上記発明において、音楽データが記録された光ディスクから読み出された音声信号を音声圧縮処理してなる圧縮音声を前記記録媒体に格納することを特徴とする。
また本発明は、上記発明において、前記記録媒体はフラッシュメモリ、或いは、ハードディスクであることを特徴とする。
また本発明は、上記発明において、車両に搭載される車載機器であることを特徴とする。
【００１１】
また上記目的を達成するために本発明は、音声放送の音声信号を音声圧縮処理して圧縮音声を記録媒体に格納する録音方法において、一定時間分の前記音声信号を巡回的に記録し、前記音声信号の録音開始指示を受けた場合に、前記録音開始指示を受けた時点で既に記録していた分の前記音声信号と、前記録音開始指示を受けた時から録音終了指示を受けた時までの前記音声放送の音声信号とを音声圧縮処理して、圧縮音声を前記記録媒体に格納するようにしたことを特徴とする。
【００１２】
また上記目的を達成するために本発明は、音声放送を受信して音声信号を出力する放送受信装置と、前記音声信号が音声圧縮処理されてなる圧縮音声を記録媒体に格納すると共に、当該記録媒体に格納された圧縮音声を復号処理して音声信号を出力する録音装置と、前記放送受信装置及び前記録音装置から出力された音声信号に基づいて放音する音声出力装置とを備え、車両に搭載される車載オーディオシステムにおいて、前記録音装置は、前記放送受信装置から入力された一定時間分の前記音声信号を巡回的に記録するリングバッファを備え、前記音声信号の録音開始指示を受けた場合、前記録音開始指示を受けた時点で既に前記リングバッファに記録されている分の前記音声信号と、前記録音開始指示を受けた時から録音終了指示を受けた時までに、前記放送受信装置から入力された前記音声信号とを音声圧縮処理し、圧縮音声を前記記録媒体に格納することを特徴とする。
【発明の効果】
【００１３】
本発明によれば、録音開始指示よりも前の音声を含めて録音することができる。
【発明を実施するための最良の形態】
【００１４】
以下図面を参照して、本発明の実施の形態について説明する。図１は、本実施の形態に係る車載オーディオシステム１の機能的構成を示すブロック図である。車載オーディオシステム１は、図１に示すように、車両２に搭載される車載機器として構成され、ＣＤ読取装置１０、ラジオ受信装置１１、音声出力装置１２、録音装置１３、表示装置１４及び操作装置１５を備えている。ＣＤ読取装置１０は、音楽ＣＤなどの光ディスクに記録された音声データを読み取って音声信号を音声出力装置１２及び録音装置１３に出力するものである。また、ラジオ受信装置１１は、ラジオ放送を受信して音声信号を音声出力装置１２及び録音装置１３に出力するものである。音声出力装置１２は、ＣＤ読取装置１０、ラジオ放送受信装置１１及び録音装置１３から出力された音声信号に基づいて放音するものであり、Ｄ／Ａ変換器やアンプ装置、スピーカ装置などを備えている。
【００１５】
録音装置１３は、ＣＤ読取装置１０或いはラジオ放送受信装置１１からの音声信号を記録して録音するものであり、再生時には、記録されている音声信号を音声出力装置１２に出力する。なお、この録音装置１２の具体的な構成については後に詳述する。
【００１６】
表示装置１４は、音楽ＣＤのタイトルやトラック番号、ラジオの受信チャンネルといった各種情報を表示するものであり、例えば液晶パネルや有機ＥＬパネル、これらパネルの駆動装置などを備えている。操作装置１５は、音楽ＣＤの再生ボタンやラジオの選局ボタン、録音開始ボタン、録音終了ボタンなどの各種操作子を備えている。なお、操作装置１５として、ボタンなどの操作子に代えて、タッチパネルを用いる構成としても良く、また、リモートコントローラなどを用いる構成としても良い。また、表示装置１４及び操作装置１５として、例えばカーナビゲーション装置などの他の車載機器が備える表示装置及び操作装置を用いる構成としても良い。
【００１７】
次いで、上記録音装置１３の構成について詳述する。図２は録音装置１３の機能的構成を示すブロック図である。この図において、メインＣＰＵ装置１００は、録音装置１２の各部の動作を制御するものであり、制御手段としてのＣＰＵのほか、このＣＰＵが実行する制御プログラムを格納するＲＯＭや、ＣＰＵのワークエリアとして用いられるＲＡＭ等を備えている。入力Ｉ／Ｆ（Ｉ／Ｆ：インターフェース）１０１は、上記操作装置１５との接続インターフェースであり、ユーザの操作（例えば録音開始指示操作や録音停止指示操作など）を操作装置１５から受け取り、メインＣＰＵ装置１００に出力する。
【００１８】
音声入力Ｉ／Ｆ１０２は、上記ラジオ受信装置１１及びＣＤ読取装置１０との接続インターフェースであり、ラジオ受信装置１１から出力された音声信号、或いは、ＣＤ読取装置１０から出力された音声信号のいずれかを選択的に受け取り、リングバッファ１０３、及び、エンコーダ１０４のそれぞれに出力する。
【００１９】
リングバッファ１０３は、一定時間以上にわたって音声信号を巡回的に記録するＲＡＭ等の記憶媒体であり、メインＣＰＵ装置１００の制御の下、記録された録音データをエンコーダ１０４に出力する。より具体的には、図３に示すように、リングバッファ１０３は、メモリの最終アドレスの次のアドレスが先頭アドレスにつながる構造を有し、音声信号の書き込みアドレスが書き込みポインタＰｗにより示される。したがって、音声入力Ｉ／Ｆ１０２から出力された音声信号は、書き込みポインタＰｗにより示されるアドレスに順次書き込まれると共に、この書き込みに伴って書き込みポインタＰｗの位置が、書き込まれた音声信号の分（データ量の分）だけ移動（カウントアップ）する。
【００２０】
また、リングバッファ１０３への音声信号の読み出し位置（取り出し位置）は、読み出しポインタＰｒにより示され、リングバッファ１０３から音声信号を読み出す場合には、この読み出しポインタＰｒから書き込みポインタＰｗにかけて音声信号が読み出される。本実施の形態では、読み出しポインタＰｒと書き込みポインタＰｗとの間の距離（アドレス数）が一定となっており、リングバッファ１０３への音声信号の書き込みに伴って書き込みポインタＰｗが移動した場合、この書き込みポインタＰｗの移動量と同じ分だけ読み出しポインタＰｒを移動（カウントアップ）させることとしている。このように、読み出しポインタＰｒから書き込みポインタＰｗまでの距離（アドレス数）が一定に維持されることで、リングバッファ１０３には、常に一定時間（一定データ量）分の音声信号が記録されることになる。
【００２１】
また、録音時には、読み出しポインタＰｒの位置から順に音声信号が読み出されエンコーダ１０４に出力されると共に、読み出した音声信号の分だけ読み出しポインタＰｒの位置が書き込みポインタＰｗ側に移動し、これと並行して、リングバッファ１０３には音声Ｉ／Ｆ１０２から入力された音声信号が継続して順次記録される。
【００２２】
エンコーダ１０４は、メインＣＰＵ装置１００の制御の下、音声入力Ｉ／Ｆ１０２から出力された音声信号及びリングバッファ１０３から読み出された音声信号を、ＭＰ３（MPEG Audio Layer-3）などの所定の圧縮形式にて音声圧縮処理し、圧縮音声を記録媒体１０５に出力するものである。本実施の形態では、エンコーダ１０４は、リングバッファ１０３への音声信号の書き込み速度（すなわち、本記録装置１３への音声信号の入力速度）と略同じ速度で音声圧縮処理を行うように構成される。これにより、音声信号の録音時において、リングバッファ１０３への音声信号の書き込み量が読み出し量よりも大きくなり、リングバッファ１０３の記録容量が不足して、音声信号が記録できなくなるといった事態が防止される。
【００２３】
記録媒体１０５は、例えばフラッシュメモリやハードディスクドライブなどの記録媒体であり、メインＣＰＵ装置１００の制御の下、上記エンコーダ１０４から出力された圧縮音声を格納し、また、音声再生時には、圧縮音声をデコーダ１０６に出力する。デコーダ１０６は、メインＣＰＵ装置１００の制御の下、記録媒体１０５から出力された圧縮音声を復号（伸長）して音声出力Ｉ／Ｆ１０７に出力するものである。音声出力Ｉ／Ｆ１０７は、上記音声出力装置１２との接続インターフェースであり、デコーダ１０６から出力された音声信号を音声出力装置１２に出力する。
【００２４】
次いで、本実施の形態の動作について説明する。以下の動作説明では、録音装置１３がラジオ音声を録音する場合を説明する。図４は、録音装置１３によるラジオ音声の録音動作を示すフローチャートである。この図に示すように、録音装置１３のメインＣＰＵ装置１００は、先ず、音声入力Ｉ／Ｆ１０２からの音声入力モードをラジオモードとし（ステップＳ１）、ラジオ受信装置１１から出力された音声信号を音声入力Ｉ／Ｆ１０２から本録音装置１３に入力させる（ステップＳ２）。
【００２５】
そして、メインＣＰＵ装置１００は、音声入力Ｉ／Ｆ１０２からの音声信号をリングバッファ１０３へ入力して、音声信号をリングバッファ１０３に順次書き込むと共に（ステップＳ３）、記録した音声信号の分だけ、書き込みポインタＰｗを移動し（ステップＳ４）、また、この書き込みポインタＰｗの移動量と同じ分だけ、読み出しポインタＰｒを移動することで（ステップＳ５）、録音開始指示前には、リングバッファ１０３に常に一定時間分のラジオの音声信号、すなわち、録音開始指示時点から遡って一定時間前までの音声信号が常に書き込まれておくようにする。
【００２６】
次いで、メインＣＰＵ装置１００は、ユーザにより録音開始指示がなされたか否かを判断し（ステップＳ６）、録音開始指示が無ければ（ステップＳ６：ＮＯ）、処理手順をステップＳ２に戻し、リングバッファ１０３への一定時間分の音声信号の書き込みを継続する。一方、録音開始指示があった場合（ステップＳ６：ＹＥＳ）、メインＣＰＵ装置１００は、次のようにしてラジオの音声信号の録音を行う。
【００２７】
詳述すると、メインＣＰＵ装置１００は、録音開始指示があった時点での読み出しポインタＰｒが示す位置から書き込みポインタＰｗの位置に向かって音声信号をリングバッファ１０３から順次取り出すと共に（ステップＳ７）、取り出し音声信号の分（データ量の分）だけ読み出しポインタＰｒを書き込みポインタＰｗ側に移動させ（ステップＳ８）、リングバッファ１０３から取り出した音声信号をエンコーダ１０４に順次出力して音声圧縮処理を行い（ステップＳ９）、圧縮音声を記録媒体１０５に順次格納して（ステップＳ１０）、ラジオの音声信号の録音を行う。上記のように、録音開始指示があった時点では、一定時間にわたる音声信号がリングバッファ１０３に既に書き込まれているため、録音開始時には、図５に示すように、録音開始指示があった時点から一定時間前に遡った音声信号から録音が行われることになる。
【００２８】
次いで、メインＣＰＵ装置１００は、ユーザにより録音終了指示がなされたか否かを判断し（ステップＳ１１）、録音終了指示が無ければ（ステップＳ１１：ＮＯ）、音声信号の録音を継続する。すなわち、メインＣＰＵ装置１００は、音声入力Ｉ／Ｆ１０２からのラジオの音声信号の入力を継続し（ステップＳ１２）、当該音声入力Ｉ／Ｆ１０２から入力された音声信号をリングバッファ１０３に順次書き込むと共に（ステップＳ１３）、書き込みポインタＰｗを、書き込んだ音声信号の分だけ移動させる（ステップＳ１４）。そして、メインＣＰＵ装置１００は、リングバッファ１０３に新たに書き込まれた音声信号の圧縮処理を継続すべく処理手順をステップＳ７に戻す。これにより、リングバッファ１０３に新たに書き込まれた音声信号が順次圧縮処理されて記録媒体１０５に格納される。すなわち、図５に示すように、録音開始指示時点で既にリングバッファ１０３に書き込まれていた分の音声信号に続いて、録音開始指示後に新たにリングバッファ１０３に書き込まれた音声信号の圧縮処理及び記憶媒体１０５への格納が継続的に行われる。
【００２９】
一方、上記ステップＳ１１の判断において、録音終了指示があった場合（ステップＳ１１：ＹＥＳ）、メインＣＰＵ装置１００は、録音終了指示があった時点での書き込みポインタＰｗの位置に読み出しポインタＰｒが到達するまでリングバッファ１０３から音声信号をエンコーダ１０４に出力して音声圧縮処理を実行しつつ、圧縮音声を記録媒体１０５に順次格納する（ステップＳ１５）。この結果、図５に示すように、録音終了指示があった時点までのラジオの音声信号が圧縮されて、記録媒体１０５に格納される。
【００３０】
その後、メインＣＰＵ装置１００は、次の録音開始指示に備えるべく、読み出しポインタＰｒを、書き込みポインタＰｗまでの距離が一定になるように移動し（ステップＳ１６）、ラジオモードが終了していなければ（ステップＳ１７：ＮＯ）、次の録音指示に備えるべく、処理手順をステップＳ１に戻し、ラジオモードが終了していれば（ステップＳ１７：ＹＥＳ）、本処理を終了する。
【００３１】
なお、録音装置１３がラジオの音声信号を録音するときの動作について説明したが、本録音装置１３は、音楽ＣＤに記録されている音声信号の録音も可能である。音楽ＣＤの録音時には、ＣＤ読取装置１０により読み取られた音声信号が音声入力Ｉ／Ｆ１０２から入力され、エンコーダ１０４により音声圧縮処理されて記録媒体１０５に格納される。
【００３２】
以上説明したように、本実施の形態によれば、録音装置１３が一定時間分の前記音声信号を巡回的に記録するリングバッファ１０３を備え、音声信号の録音開始指示を受けた場合、録音開始指示を受けた時点で既にリングバッファ１０３に記録されている分の音声信号と、録音開始指示を受けた時から録音終了指示を受けた時までに入力された音声信号とを音声圧縮処理し、圧縮音声を記録媒体１０５に格納する構成としたため、録音開始指示を受けた時点よりも前の音声を含めて記録媒体１０５に格納することができる。したがって、ユーザがラジオ放送を聴いていて、録音したい音楽が流れた場合に、録音開始指示を音楽の途中に行ったとしても、音楽の先頭を含めて録音することができる。
【００３３】
また、本実施の形態の記録装置１３を、音声信号の録音開始指示を受けた時以降に入力された音声信号をリングバッファ１０３に記録する構成とすると共に、音声信号の録音開始指示を受けた場合、録音開始指示を受けた時点で既にリングバッファ１０３に記録されている分の音声信号を音声圧縮処理した後、これに続けて、録音開始指示を受けた時以降に新たにリングバッファ１０３に記録された音声信号を音声圧縮処理して、記録媒体１０５に格納する構成としたため、音声信号の録音時には、リングバッファ１０３に記録されている音声信号を順次音声圧縮処理するだけで良く、構成が簡易となる。
【００３４】
特に、リングバッファ１０３への音声信号の書き込み速度（すなわち、記録装置１３への音声信号の入力速度）と略同じ速度で音声圧縮処理を行うように構成さることで、音声信号の録音時において、リングバッファ１０３への音声信号の書き込み量が、読み出し量よりも大きくなり、リングバッファ１０３の記録容量が不足して音声信号が記録できなくなるといった事態が防止可能となると共に、リングバッファ１０３として記録容量の小さなものを用いることができる。
【００３５】
なお、上述した実施の形態はあくまでも本発明の一態様を示すものであり、本発明の範囲内で任意に変形が可能である。そこで、以下に各種の変形例について説明する。
【００３６】
（１）上述した実施の形態では、ラジオの音声信号を録音する場合、録音開始指示があった時点での読み込みポインタＰｒの位置から、録音終了指示があった時点での書き込みポインタＰｗの位置まで音声信号をリングバッファ１０３から順次取り出して録音することで、録音開始指示があった時点から一定時間前に遡った音声信号を録音した後に、録音終了指示があった時点までの音声信号を録音する構成としたが、これに限らない。
【００３７】
すなわち、図６に示すように、録音開始指示があった場合、この録音開始指示の時点までに既にリングバッファ１０３に書き込まれていた音声信号の音声圧縮処理と、音声入力Ｉ／Ｆ１０２からエンコーダ１０４に入力される音声信号のリアルタイムな音声圧縮処理とを並列的に行い、録音終了指示後に、それぞれの音声圧縮処理によって生成された圧縮音声を、一連の音声となるように連結し、この圧縮音声を記録媒体１０５に格納する構成としても良い。この構成によれば、録音終了指示と略同時に、録音処理を終了させることができ、録音処理に要する時間を短縮することができ、また、リングバッファ１０３に要求される記憶容量を抑えることができる。
【００３８】
また、図７に示すように、上述した実施の形態と同様に、録音時もリングバッファ１０３への音声信号の書き込みを継続すると共に、記録装置１３への音声信号の入力速度よりも高速度で音声信号の音声圧縮処理を行う構成とし、リングバッファ１０３へ記録される音声信号と、リングバッファ１０３から読み出される音声信号とが等しくなった場合に、リングバッファ１０３への音声信号の記録を中止して、音声入力Ｉ／Ｆ１０２から入力される音声信号をリアルタイムに音声圧縮処理する構成とすることも可能である。この構成によれば、録音終了指示と略同時に、録音処理を終了させることができ、録音処理に要する時間を短縮することができる。
【００３９】
（２）上述した実施の形態において、リングバッファ１０３に、音声入力Ｉ／Ｆ１０２から入力された音声信号を記録しておき、録音開始指示後に、この音声信号に対して音声圧縮処理を施す構成としたが、これに限らず、音声信号を予め音声圧縮処理してリングバッファ１０３に記録しておき、録音開始指示があったときには、その時点でリングバッファ１０３に記録されている圧縮音声を記録媒体１０５に格納すると共に、録音開始指示以降に入力される音声信号を音声圧縮処理して記録媒体１０５に格納する構成としても良い。この構成によれば、リングバッファ１０３に長時間の音声信号を記録しておくことができ、また、リングバッファ１０３の記憶容量を小さくすることもできる。
【００４０】
（３）上述した実施の形態において、リングバッファ１０３に記録する音声信号の時間長を、当該リングバッファ１０３に記録可能な音声信号の時間長を限度としてユーザが任意に設定可能に構成しても良い。
【００４１】
（４）上述した実施の形態において、ＣＤ読取装置１０及びラジオ受信装置１１は、音声出力装置１２及び録音装置１３の各々に音声信号を出力する構成としたが、これに限らず、ＣＤ読取装置１０及びラジオ受信装置１１が音声信号を録音装置１３に出力し、その音声信号を録音装置１３が音声出力装置１２に出力する構成としても良い。
【図面の簡単な説明】
【００４２】
【図１】本発明の実施の形態に係る車載オーディオシステムを示す図である。
【図２】録音装置の機能的構成を示すブロック図である。
【図３】録音装置によるラジオ音声の録音動作を示すフローチャートである。
【図４】リングバッファの構成を模式的に示す図である。
【図５】ラジオ音声の録音動作を示す図である。
【図６】ラジオ音声の録音動作の他の態様を示す図である。
【図７】ラジオ音声の録音動作のその他の態様を示す図である。
【符号の説明】
【００４３】
１  車載オーディオシステム
１１  ラジオ受信装置
１２  音声出力装置
１３  録音装置
１００  メインＣＰＵ装置
１０２  音声入力Ｉ／Ｆ
１０３  リングバッファ
１０４  エンコーダ
１０５  記録媒体
【図１】
2006139835.tif 000003
【図２】
2006139835.tif 000004
【図３】
2006139835.tif 000005
【図４】
2006139835.tif 000006
【図５】
2006139835.tif 000007
【図６】
2006139835.tif 000008
【図７】
2006139835.tif 000009